(57)【要約】    ファーサイドエアバッグが開示される。本明細書で紹介されるファーサイドエアバッグの各区分は、異なる方向に展開する。すなわち、本明細書で紹介されるファーサイドエアバッグは、基準方向に展開する第１の膨張区分と、第１の膨張区分に接続され、かつ基準方向から設定角度だけ傾斜した方向に展開する第２の膨張区分と、を備える。このような構成で製造されたこのファーサイドエアバッグは、乗員を十分に支持し、かつ回転しないため、乗員を安全に保護することができる。  【選択図】図１
2021527588.tif 000002
【特許請求の範囲】
【請求項１】
座席間で膨張して、乗員を保護する、ファーサイドエアバッグであって、前記ファーサイドエアバッグが、
設定基準方向に展開する第１の膨張区分と、
前記第１の膨張区分に接続され、かつ前記基準方向から設定角度だけ傾斜した方向に膨張する第２の膨張区分と、を備える、ファーサイドエアバッグ。
【請求項２】
横断方向における前記第２の膨張区分の長さが、少なくとも、前記横断方向における前記第１の膨張区分の長さ以上である、請求項１に記載のファーサイドエアバッグ。
【請求項３】
前記第１の膨張区分及び前記第２の膨張区分が、設定サイズを有する布地を設定位置で屈曲させ、前記ファーサイドエアバッグの区分を設定範囲内で互いに接触させ、次いで、前記区分を設定領域の長さだけ接続することによって形成される、請求項１に記載のファーサイドエアバッグ。
【請求項４】
形状維持テザーが、前記第１の膨張区分と前記第２の膨張区分との間に設置され、固定された一方の側と、前記第１の膨張区分又は前記第２の膨張区分のうちの少なくとも１つと接続された他方の側と、を有し、前記形状維持テザーの前記他方の側が、前記第２の膨張区分と接続されて、前記第１の膨張区分と前記第２の膨張区分との間の傾斜角度を設定する、請求項１に記載のファーサイドエアバッグ。
【請求項５】
前記形状維持テザーが、固定された一方の側と、前記第２の膨張区分の形状を維持するための、前記第２の膨張区分に接続された他方の側と、を有する固定テザーを備える、請求項４に記載のファーサイドエアバッグ。
【請求項６】
前記形状維持テザーが、固定された一方の側と、前記第２の膨張区分上に設置された他方の側と、を有する接続テザーを備え、
前記固定テザーの一方の側又は前記接続テザーの一方の側のうちのいずれか１つが、座席に固定され、かつ他方が、前記座席に固定された前記テザーに接続されている、請求項５に記載のファーサイドエアバッグ。
【請求項７】
前記座席に固定された前記テザーが、前記座席と、前記座席の一方の側に設置された回転防止ブラケットとの間に挿入されている、請求項６に記載のファーサイドエアバッグ。
【発明の詳細な説明】
【技術分野】
【０００１】
本技術は、ファーサイドエアバッグに関する。
【０００２】
具体的には、本技術は、基準方向に展開する区分と、基準展開方向から設定角度だけ傾斜した方向に展開する区分とを含むように構成され、したがって乗員を安全に保護することができる、ファーサイドエアバッグに関する。
【背景技術】
【０００３】
自動車産業は、依然として連続的に開発されている産業の１つである。
【０００４】
近年、自動車は、環境に優しいことの目的のために排気ガスを低減すること、安定した乗り心地を向上させること、エンジン効率を向上させることによって自動車の性能を発揮すること、自律運転を実現することなどの様々な方向において開発され、これらの中でも事故中の乗員を保護することが最も重要となっている。
【０００５】
乗員を保護するための装置であるエアバッグは、典型的には、車両の前面に膨張する前面エアバッグと、車両の外側に膨張するカーテンエアバッグと、車両を運転する運転手と運転手の助手席に座っている乗員との間で膨張するファーサイドエアバッグとである。
【０００６】
自動車事故は様々な可能性を上昇させ、運転手は、自動車事故が発生したときに、衝突の直前に一方向にステアリングホイールを無意識的に回転させ得、したがって、自動車は、正面衝突するのではなく、側面衝突する可能性が高くなる。したがって、異なる方向に展開するエアバッグが重要であるが、最近では、座席間に展開するファーサイドエアバッグの重要性が強調されている。
【０００７】
ファーサイドエアバッグは、座席間、すなわち乗員（上述の運転手と乗員と）の間で展開して、乗員に適用される衝撃を低減し、衝撃によって乗員が車外に投げ出されることを防止する。加えて、ファーサイドエアバッグは、自動車の乗員が互いに衝突することを防止し得る。
【０００８】
上記の役割を実行するために、ファーサイドエアバッグは、乗員が互いに衝突したときに乗員を安定的に支持しなければならず、それらの衝撃を吸収しなければならない。具体的には、乗員が衝突したときの衝撃によりファーサイドエアバッグが回転することを防止することが最も重要である。
【０００９】
しかしながら、ファーサイドエアバッグが、エアバッグが設置されている位置の特性により、エアバッグが回転又は移動することを防止する任意の構造によって支持されていないため、ファーサイドエアバッグは、乗員が衝突した際に乗員を十分に支持しないことがあり得、その設置の目的に影を差し得る。
【先行技術文献】
【特許文献】
【００１０】
韓国特許第「１０／１６９１９５９」号、「ＦＡＲ−ＳＩＤＥ  ＡＩＲＢＡＧ  ＤＥＶＩＣＥ」
【００１１】
韓国特許出願第「１０／２０１５／００８７４２５」号、「ＳＩＤＥ  ＡＩＲＢＡＧ  ＤＥＶＩＣＥ」
【発明の概要】
【発明が解決しようとする課題】
【００１２】
本発明の目的は、ファーサイドエアバッグを提供することである。
【００１３】
特に、本発明は、上記課題を解決するために開発されたものであって、本発明の目的は、支持するための構造がなくても、それに衝突した乗員によって自ら回転せず、かつ確実に固定され、それによって、乗員を安定的に支持する、ファーサイドエアバッグを提供することである。
【００１４】
本発明により達成される技術的目的は、上述のものに限定されるものではなく、上述されない他の技術的目的は、後述する説明に基づいて、本発明が属する技術分野の当業者には明らかに理解され得る。
【課題を解決するための手段】
【００１５】
座席間で膨張して、乗員を保護する、本発明のファーサイドエアバッグは、設定基準方向に展開する第１の膨張区分と、第１の膨張区分に接続され、かつ基準方向から設定角度だけ傾斜した方向に膨張する第２の膨張区分と、を含む。
【００１６】
本明細書では、横断方向における第２の膨張区分の長さは、少なくとも、横断方向における第１の膨張区分の長さ以上であり得る。
【００１７】
ファーサイドエアバッグの第１の膨張区分及び第２の膨張区分は、設定サイズを有する布地を設定位置で屈曲させ、設定範囲内で互いに接触させ、次いで、区分を設定領域の長さだけ接続することによって、形成され得る。
【００１８】
加えて、形状維持テザーが、第１の膨張区分と第２の膨張区分との間の形状を維持するために設置され得、形状維持テザーは、固定された一方の側と、第１の膨張区分又は第２の膨張区分のうちの少なくとも１つと接続された他方の側と、を有し得、形状維持テザーの他方の側が、第２の膨張区分と接続されて、第１の膨張区分と第２の膨張区分との間の傾斜角度を設定し得る。
【００１９】
本明細書では、形状維持テザーは、固定された一方の側と、第２の膨張区分に接続されて、第２の膨張区分の形状を維持する他方の側と、を有する固定テザーを含み得る。
【００２０】
加えて、形状維持テザーは、固定された一方の側と、第２の膨張区分上に設置された他方の側と、を有する接続テザーを含み得、固定テザーの一方の側又は接続テザーの一方の側のうちのいずれか１つは、座席に固定され得、かつ他方は、座席に固定されたテザーに接続され得る。
【００２１】
加えて、座席に固定された形状維持テザーのテザーは、座席と、座席の一方の側に設置された回転防止ブラケットとの間に挿入され得る。
（発明の有利な効果）
【００２２】
本発明のファーサイドエアバッグは、第１の膨張区分と、第１の膨張区分の膨張方向から設定角度だけ傾斜した方向に膨張する第２の膨張区分と、を含み、また、乗員が衝突する際に十分な時間で乗員がエアバッグに衝突することを可能にすることにより、本発明のファーサイドエアバッグは、支持するための構造がなくても、乗員による衝突によって回転せず、かつ確実に固定され、したがって、乗員を安定的に支持することができる。
【図面の簡単な説明】
【００２３】
【図１】本発明のファーサイドエアバッグを図示する。
【００２４】
【図２】一実施形態による、本発明のファーサイドエアバッグの製造プロセスを図示する。
【００２５】
【図３】別の実施形態による、本発明のファーサイドエアバッグの製造プロセスを図示する。
【００２６】
【図４】本発明のファーサイドエアバッグの形状維持テザーを図示する。
【００２７】
【図５】回転防止ブラケットに接続されている本発明のファーサイドエアバッグを図示する。
【００２８】
【図６】本発明の別の実施形態による、ファーサイドエアバッグを図示する。
【００２９】
【図７】本発明の別の実施形態による、ファーサイドエアバッグの製造プロセスの一実施形態を図示する。
【００３０】
【図８】本発明の別の実施形態による、ファーサイドエアバッグの形状維持テザーを図示する。
【００３１】
【図９】本発明の別の実施形態による、ファーサイドエアバッグの形状維持テザーを図示する。
【００３２】
【図１０】回転防止ブラケットに接続されている本発明の別の実施形態のファーサイドエアバッグを図示する。
【００３３】
【図１１Ａ】同一の条件下での、関連技術のファーサイドエアバッグ及び本発明のファーサイドエアバッグを試験する結果を図示する。
【図１１Ｂ】同一の条件下での、関連技術のファーサイドエアバッグ及び本発明のファーサイドエアバッグを試験する結果を図示する。
【００３４】
【図１２Ａ】同一の条件下での、関連技術のファーサイドエアバッグ及び本発明のファーサイドエアバッグを試験する結果を図示する。
【図１２Ｂ】同一の条件下での、関連技術のファーサイドエアバッグ及び本発明のファーサイドエアバッグを試験する結果を図示する。
【００３５】
【図１３Ａ】同一の条件下での、関連技術のファーサイドエアバッグ及び本発明のファーサイドエアバッグを試験する結果を図示する。
【図１３Ｂ】同一の条件下での、関連技術のファーサイドエアバッグ及び本発明のファーサイドエアバッグを試験する結果を図示する。
【発明を実施するための最良の形態】
【００３６】
以下に、例示的な図面を参照して、本発明の実施形態を詳細に説明する。しかしながら、これは、本発明の範囲を限定することを意図するものではない。
【００３７】
それぞれの図面上の要素に参照番号を追加する際、同じ要素には同一の参照番号が付されているが、それらは異なる図面上に表示されることに留意されたい。加えて、本発明の説明では、本発明を不必要な詳細において不明瞭にするため、関連する周知の構造又は機能について詳細に説明しない。
【００３８】
加えて、図面に図示される要素のサイズ又は形状は、明示的な説明及び便宜のために誇張されて図示され得る。加えて、本発明の構成及び動作を考慮して特に定義される用語は、本発明の実施形態を説明するためだけのものであり、本発明の範囲を限定することを意図するものではない。
【００３９】
図１は、本発明のファーサイドエアバッグを図示する。
【００４０】
本発明のファーサイドエアバッグ１は、関連技術のエアバッグとは異なる形態を有する。
【００４１】
車両が側面衝突するとき、本発明のファーサイドエアバッグ１は、車両から投げ出されている乗員の胸部の側面と接触して、乗員を長時間支持し、それによって、乗員が衝撃から保護され、乗員が投げ出され他の乗員と衝突することを防止する。
【００４２】
本発明のファーサイドエアバッグ１は、座席の側面に固定され、衝突時にＥＣＵ又はＡＣＵなどの制御ユニットによって座席間に展開する。
【００４３】
本発明のファーサイドエアバッグ１は、第１の膨張区分１００及び第２の膨張区分２００を含む。加えて、インフレーターが設置されたインフレーター穴１０と、インフレーターに供給されるガスを排出するための通気穴とが形成されていることが明らかである。
【００４４】
第１の膨張区分１００は、基準方向に展開する。本明細書では、基準方向は、一例として上方向である。より正確には、第１の膨張区分は、車両の上部から一方向に傾斜する方向に展開する。第１の膨張区分１００が膨張したとき、そのサイズは、乗員の少なくとも腹部を十分に覆うのに十分なものである。
【００４５】
第２の膨張区分２００は、第１の膨張区分１００と接続されており、膨張したときに第１の膨張区分１００とは異なる方向に展開する。すなわち、第２の膨張区分は、第１の膨張区分１００が膨張する基準方向から設定角度だけ傾斜した方向に膨張する。すなわち、図１から分かるように、第２の膨張区分２００は、第１の膨張区分１００に対して垂直な方向に展開し得る。より正確には、第２の膨張区分２００は、上側から一方向に、傾斜した第１の膨張区分１００の方向から乗員に向かって傾斜した方向に展開する。
【００４６】
加えて、第２の膨張区分２００が膨張すると、横断方向における第２の膨張区分２００の長さは、少なくとも、横断方向における第１の膨張区分１００の長さ以上に形成されている。
【００４７】
したがって、ファーサイドエアバッグ１が膨張するとき、第２の膨張区分２００は、乗員の胸部の側面を支持する。
【００４８】
本発明のファーサイドエアバッグ１は、上記の形状に形成されており、これにより、ファーサイドエアバッグ１は、関連技術のファーサイドエアバッグ１と比較して、乗員を支持し、かつエアバッグ自体に加えられる衝撃を低減するのに十分な時間を有するようになっている。
【００４９】
加えて、支持構造体が存在しない状態でエアバッグが乗員によって回転することを最大限に防止するために、関連技術のファーサイドエアバッグ１は、回転に対してエアバッグを支持する方向にファーサイドエアバッグ１を前進するように実装される。これと比較して、本発明は、乗員が第２の膨張区分２００と衝突したときに第２の膨張区分２００と設定角度で配置された第１の膨張区分１００に回転する性質を有する衝撃を移動させることと、第１の膨張区分１００に、このように移動する第２の膨張区分２００の反対側を支持させることとによって、関連技術のエアバッグ１の問題を解決する。
【００５０】
加えて、上述した構造で形成された本発明のファーサイドエアバッグ１は、ファーサイドエアバッグ１を支持するための唯一の構造を利用し得る。コンソールボックスは、ファーサイドエアバッグ１が展開する場所に配置され得、コンソールボックスは、支持構造として利用され得る。
【００５１】
図１から分かるように、第２の膨張区分２００は、乗員が斜め下方向に車両の中心の前側に向かって移動する衝撃によって生じる衝撃を伝達し、第１の膨張区分１００に衝撃を伝達し、第１の膨張区分１００はそれに従って下方に移動し得る。ファーサイドエアバッグ１を支持するための唯一の構造であるコンソールボックスが第１の膨張区分の下に存在するため、第１の膨張区分１００はコンソールボックスによって支持され、回転されず、したがって、乗員を安全に支持することができる。
【００５２】
図２は、一実施形態による、本発明のファーサイドエアバッグの製造プロセスを図示する。
【００５３】
本発明のファーサイドエアバッグ１は、一例として、設定サイズを有する布地を屈曲させて接続することによって、製造され得る。
【００５４】
図２のプロセスを説明すると、設定サイズの布地を設定位置で屈曲させ、その区分を設定範囲５０で互いに接触させる。本明細書では、設定サイズの布地は、前部パネル及び後部パネルの周囲を接続することによって製造され得る。別の実施形態では、布地は、分離されたパネルを接続するのではなく、１つのパネルによって製造され得る。
【００５５】
このようにして設けられた布地を仮想線Ｌ１に沿って分割し、その布地を仮想線Ｌ１に沿って屈曲させ、設定区分を互いに接触させる。その後、互いに接触する区分の設定範囲５０のみを、接続手段を介して接続する。
【００５６】
本明細書では、接続手段は、縫製、接着剤などの様々な方法を含み得る。すなわち、接続は、図面に示されるように縫製に限定されず、布地は、布地が爆発的に供給されたガスによって破壊されない限り、他の方法で接続され得る。
【００５７】
図３は、別の実施形態による、本発明のファーサイドエアバッグの製造プロセスを図示する。
【００５８】
上述したように、本発明の接続手段がガスの供給などの衝撃によって布地を破壊しない限り、任意の接続手段を使用することができ、布地を屈曲させ、かつ区分を互いに接触させることによって形成された設定範囲５０を接続するので、上記の縫製に加えて、別個の接続布地４４０を介して布地を接続し得る。
【００５９】
別の実施形態によるファーサイドエアバッグの製造方法は、上記実施形態と同一の方法で製造され得るが、製造のためのベースである布地に加えて、接続布地４００は、接続手段として機能し、したがって、設定範囲５０に差がある。
【００６０】
すなわち、別の実施形態によるファーサイドエアバッグを製造するための方法における設定範囲５０は、上記実施形態によるファーサイドエアバッグを製造するために設定された設定範囲５０よりも小さく設定され得る。接続布地４００は、その元の長さで広がり得るが、それよりも長くは広がらない。第２の膨張区分２００が膨張したときに、第２の膨張区分２００は、第１の膨張区分１００を膨張方向から傾斜状態で膨張させ、傾斜状態を維持し得る。
【００６１】
上述した方法でエアバッグを製造する場合には、関連技術のエアバッグとは異なる構成を付加する専用の布地を製造する必要がなく、第１の膨張区分１００及び第２の膨張区分２００を含むファーサイドエアバッグ１を簡易な方法で製造することができる。
【００６２】
図４は、本発明のファーサイドエアバッグの形状維持テザーを図示する。
【００６３】
本発明のファーサイドエアバッグ１は、形状維持テザー４００を含む。
【００６４】
形状維持テザー４００は、一方の側が車両に固定され（例えば、座席）、かつ他方の側が第１の膨張区分１００及び第２の膨張区分２００のうちの少なくとも１つに接続される。本明細書では、形状維持テザー４００が接続される位置は、屈曲され、かつ接続手段によって接続される、布地の一部分から離間していることが明らかである。
【００６５】
形状維持テザー４００は、設定長さを有しており、ファーサイドエアバッグ１が設定長さよりも長い位置に展開すると、形状維持テザー４００は、固定部によってファーサイドエアバッグ１を反対側に引っ張ることによって形状を維持する。したがって、本発明のファーサイドエアバッグ１の形状は、第１の膨張区分１００と第２の膨張区分２００との間の角度が設定角度よりも大きくなることを防止することにより、維持される。
【００６６】
したがって、第２の膨張区分２００は、乗員に向かって膨張し、乗員の胸部の側面を支持するようにしている。
【００６７】
したがって、本発明のファーサイドエアバッグ１が展開するとき、第１の膨張区分１００及び第２の膨張区分２００は、設定長さだけ互いに離れるように制御され、第１の膨張区分１００と第２の膨張区分２００との間の傾斜角度が設定され得る。したがって、第２の膨張区分２００を乗員に向かって膨張させ、第２の膨張区分２００の側面を乗員の胸部の側面を支持するようにしている。
【００６８】
加えて、形状維持テザー４００は、本発明のファーサイドエアバッグ１が乗員との衝突により回転することを防止する働きをし得る。
【００６９】
好ましくは、形状維持テザー４００は、固定テザー４１０及び接続テザー４２０を含む。
【００７０】
固定テザー４１０は、一方の側が車両に固定され、かつ他方の側が第２の膨張区分２００と接続されて、第２の膨張区分２００の膨張位置を制御する。したがって、第２の膨張区分２００は、固定テザー４１０によって維持されたその形状を有し得る。
【００７１】
接続テザー４２０は、一方の側が固定テザー４１０に固定され、かつ他方の側が第１の膨張区分１００に接続されて、第１の膨張区分１００の膨張位置を制御する。したがって、第１の膨張区分１００は、接続テザー４２０によって維持されたその形状を有し得る。
【００７２】
加えて、固定テザー４１０及び接続テザー４２０は、互いに接続され得、座席に固定され得る。図４は、固定テザー４１０が一例として座席に固定されていることを図示し、これを参照して説明を行うが、これは限定的であると見なされるべきではない。
【００７３】
固定テザー４１０は、接続テザー４２０よりも長く形成され得、一方の側が座席に固定され得る。接続テザー４２０の一方の側は、固定テザー４１０に接続されている。接続テザー４２０を、上述した方法で座席に接続するのではなく、固定テザー４１０に接続することにより、接続テザー４２０を製造するための材料の廃棄を防止することができる。
【００７４】
図５は、回転防止ブラケットに接続されている本発明のファーサイドエアバッグを図示する。
【００７５】
固定テザー４１０の一方の側は、座席と回転防止ブラケット５００との間に挿入され得、固定され得る。
【００７６】
回転防止ブラケット５００は、断面「Ｌ」の形態であると観察され得る。回転防止ブラケット５００は、座席に固定されており、座席に固定された一部分を除いた突出部が、回転方向と反対側のファーサイドエアバッグ１を支持する。
【００７７】
設置穴４１５は、固定テザー４１０の一方の側に形成され得る。本明細書では、固定テザー４１０は、その上に形成された少なくとも２つの設置穴４１５を有して、ファーサイドエアバッグ１を安定的に支持し、設置穴４１５に対応する接続穴は、回転防止ブラケット５００上に形成されおり、ボルト及びナットは、例として、設置穴４１５及び接続穴に接続され、固定テザー４１０は、回転防止ブラケット５００と座席との間に固定されている。
【００７８】
図６は、本発明の別の実施形態による、ファーサイドエアバッグを図示する。
【００７９】
本発明の別の実施形態によるファーサイドエアバッグ１は、第３の膨張区分３００を追加的に含む。第３の膨張区分３００は、第２の膨張区分２００と接続され、第２の膨張区分２００の膨張方向から設定角度だけ再度傾斜した方向に展開する。
【００８０】
つまり、第３の膨張区分３００は、乗員の頭部の側面を追加的に支持し得る。したがって、乗員をより安全に保護することができる。
【００８１】
第３の膨張区分３００は、第２の膨張区分２００と設定角度で展開し、したがって、頭部が第３の膨張区分３００と衝突するとき、第３の膨張区分３００は、斜め下方向に圧力を加え、かつ圧力が第１の膨張区分１００によって第２の膨張区分２００を介して再度支持されることにより、別の実施形態によるファーサイドエアバッグ１は、乗員を安定的に支持することができ、回転しない。
【００８２】
図７は、本発明の別の実施形態による、ファーサイドエアバッグの製造プロセスの一実施形態を図示する。
【００８３】
第３の膨張区分３００は、第２の膨張区分２００のような布地を屈曲し、接続することによって製造され得る。本明細書では、布地を接続するための接続手段は、上述したものと同一であるので、その説明を省略する。
【００８４】
別の実施形態によるファーサイドエアバッグ１を製造するために、布地は、第１の仮想ラインＬ１及び第２の仮想ラインＬ２に沿って２回屈曲される。布地は、第１の仮想線Ｌ１に沿って屈曲され、次いで、互いに接触する布地の部分は、設定範囲５０と同じ長さで接続される。その後、布地は、第２の仮想線Ｌ２に沿って屈曲され、次いで、互いに接触する布地の部分は、設定範囲５０と同じ長さで再度接続される。
【００８５】
上記の方法で製造された別の実施形態のファーサイドエアバッグ１が、既存の布地を屈曲して接続するだけで製造されるため、専用の布地を製造する必要がない。
【００８６】
図８は、本発明の別の実施形態による、ファーサイドエアバッグの製造プロセスの別の実施形態を図示する。
【００８７】
別の実施形態によるファーサイドエアバッグを製造するプロセスは、図７を介して説明されるプロセスと同様であるが、図３を介して上述したように、設定範囲５０が接続布地４４０を介して接続されている点で異なる。
【００８８】
加えて、図３に記載したものと同一の方法で、布地が接続布地４４０を介して接続される場合、縫製によって製造するプロセスにおいて縫製された設定範囲５０よりもわずかに小さい範囲を設定範囲５０として設定し得る。
【００８９】
接続布地４４０の役割は、図３に記載したものと同一であるため、重複する説明は省略する。
【００９０】
図９は、本発明の別の実施形態による、ファーサイドエアバッグの形状維持テザーを図示する。
【００９１】
図１０は、本発明の別の実施形態による、回転防止ブラケットに接続されている、ファーサイドエアバッグを図示する。
【００９２】
更に別の実施形態によるファーサイドエアバッグ１は、追加のテザー４３０を含み得る。追加のテザー４３０は、第３の膨張区分３００と第２の膨張区分２００との間の設定屈曲角度を制御するように機能し得る。追加のテザー４３０は、一方の側が固定され得、かつ他方の側が第３の膨張区分３００と接続され得る。追加のテザー４３０によって第３の膨張区分３００を固定する方法は、上記の固定テザー４１０、接続テザー４２０によって、第２の膨張区分２００、第３の膨張区分３００を固定する方法とはほとんど異ならない。
【００９３】
加えて、接続テザー４２０は、一例として、固定テザー４１０に接続された一方の側を有し得る。当然ながら、接続テザー４２０が固定テザー４１０よりも長く形成されると、接続テザー４２０は上記と同一の方法で接続されることは明らかである。
【００９４】
加えて、追加のテザー４３０が接続される固定テザー４１０は、回転防止ブラケット５００に接続され得る。上記と同一の方法で、固定テザー４１０は、座席と回転防止ブラケット５００との間に挿入され得る。
【００９５】
図１１Ａ、図１１Ｂは、同一の条件下での、関連技術のファーサイドエアバッグ及び本発明のファーサイドエアバッグを試験する結果を図示する。
【００９６】
図１２Ａ、図１２Ｂは、同一の条件下での、関連技術のファーサイドエアバッグ及び本発明のファーサイドエアバッグを試験する結果を図示する。
【００９７】
図１３Ａ、図１３Ｂは、同一の条件下での、関連技術のファーサイドエアバッグ及び本発明のファーサイドエアバッグを試験する結果を図示する。
【００９８】
試験により、関連技術のファーサイドエアバッグ及び本発明のファーサイドエアバッグ１を同一の条件下で比較した。
【００９９】
本明細書では、図１１Ａ、図１２Ａ、図１３Ａは、関連技術のファーサイドエアバッグを図示し、図９Ｂ、図１０Ｂ、図１０Ｃは、本発明のファーサイドエアバッグ１を図示する。
【０１００】
図１１Ａ〜図１３Ｂから分かるように、ダミーが衝突すると、関連技術のファーサイドエアバッグ１は、十分に支持されず、衝突によって回転し、したがって、ダミーは、コンソールボックスを越えて運転手の座席に移動される。この場合、運転手座席に座っている運転手が存在する場合、助手席に座っている乗員は、運転手と衝突し得、連続的に負傷し得る。
【０１０１】
対照的に、ダミーが衝突すると、本発明のファーサイドエアバッグ１は、ダミーを反対方向に十分に支持し、回転しない。すなわち、ダミーは、コンソールボックスを越えて運転手の座席に移動されない。したがって、乗員を投げ出して損傷することを防止することができ、また、助手席に座っている乗員及び運転手の座席に座っている乗員が互いに衝突することを防止し、怪我を防止することができる。すなわち、ファーサイドエアバッグ１の設置の元の目的を実現することができる。
【０１０２】
本発明は、特定の実施形態に関連して示され説明されてきたが、本発明が、以下に提示される特許請求の範囲によって提供される本発明の技術的概念から逸脱することなく、範囲内で様々に改善かつ変更することができることは、当業者には明らかであろう。
【図１】
2021527588.tif 000003
【図２】
2021527588.tif 000004
【図３】
2021527588.tif 000005
【図４】
2021527588.tif 000006
【図５】
2021527588.tif 000007
【図６】
2021527588.tif 000008
【図７】
2021527588.tif 000009
【図８】
2021527588.tif 000010
【図９】
2021527588.tif 000011
【図１０】
2021527588.tif 000012
【図１１Ａ】
2021527588.tif 000013
【図１１Ｂ】
2021527588.tif 000014
【図１２Ａ】
2021527588.tif 000015
【図１２Ｂ】
2021527588.tif 000016
【図１３Ａ】
2021527588.tif 000017
【図１３Ｂ】
2021527588.tif 000018
【国際調査報告】
2021527588.tif 000019
2021527588.tif 000020
2021527588.tif 000021
2021527588.tif 000022
2021527588.tif 000023
2021527588.tif 000024